(57)【特許請求の範囲】
【請求項１】
エンジン・トランスミッション・車輪を有し、ハンドルの操作に基づき操向しながら後部のロータリ耕耘装置で耕耘する耕耘機において、
前記ハンドルの基部を構成するハンドルフレームを、下方が開口する断面略々コ字状に形成し、
該コ字状のハンドルフレームを前記トランスミッションの外側ケースに挟んで、かつ前記ハンドルフレームの左右外側との間にそれぞれ菊座を介在して、ボルトを貫通して締付けることにより前記ハンドルを取付け、
それぞれ前記ハンドルフレームの左右外側及び前記ハンドルの左右内側に固着される前記左右の菊座を係合又は解除することにより前記ハンドルを上下調節可能に装着してなる、
耕耘機のハンドル支持装置。
【発明の詳細な説明】
【０００１】
【発明の属する技術分野】
本発明は、エンジン・トランスミッション・単軸の車軸、左右２輪の車輪と後部のロータリ耕耘装置を有する耕耘機に係り、詳しくは前記耕耘機を操向するハンドルの本体への装着構造に関する。
【０００２】
【従来の技術】
従来、特開平１−２３５５０１号公報で公知のように、プレスにより形成された合わせケース状のトランスミッションケースのフランジ部を左右から挟むように、ハンドルフレーム内側に溶着されたパイプと、合わせケースのフランジ部の孔に、貫通する１本の部材を挿通して、上下調節可能に装着したものは既に知られている。
【０００３】
【発明が解決しようとする課題】
従来、既に知られている、プレスにより形成された合わせケース状のトランスミッションケースのフランジ部を左右から挟むように、ハンドルフレーム内側に溶着されたパイプと、合わせケースのフランジ部の孔に、貫通する１本の部材を挿通して、上下調節可能に装着したものは、図３に示すように、操向用のハンドル１２′の基部を構成するハンドルフレーム１１′の内側のパイプ３ａ′の端面とトランスミッションケース３′のフランジ部の接触面がパイプ３ａ′の端面の肉厚だけであるので、端面から締付力による両者間の摩擦力が不足するばかりでなく、左右のパイプ端面間の距離がフランジ部の厚さだけの極めて小さいため、ハンドルを操作する大きな左右のモーメントに対して強度、剛性とも不足し、ハンドル支持構造として不安定なものであった。
【０００４】
そこで、本発明は、構造簡単にしてかつ、ハンドル支持構造として強度、剛性とも充分な安定した耕耘機のハンドル支持装置を得ることを目的とする。
【０００５】
【課題を解決するための手段】
本発明は、上述事情に鑑みなされたものであって、エンジン（２）・トランスミッション（３）・車輪（６）を有し、ハンドル（１２）の操作に基づき操向しながら後部のロータリ耕耘装置（８）で耕耘する耕耘機（１）において、
前記ハンドル（１２）の基部を構成するハンドルフレーム（１１）を、下方が開口する断面略々コ字状に形成し、
該コ字状のハンドルフレーム（１１）を前記トランスミッション（３）の外側ケース（３ａ）に挟んで、かつ前記ハンドルフレーム（１１）の左右外側との間にそれぞれ菊座（１１ａ，１２ａ）（１１ａ，１２ａ）を介在して、ボルト（１４）を貫通して締付けることにより前記ハンドル（１２）を取付け、
それぞれ前記ハンドルフレーム（１１）の左右外側及び前記ハンドル（１２）の左右内側に固着される前記左右の菊座（１１ａ，１２ａ）（１１ａ，１２ａ）を係合又は解除することにより前記ハンドル（１２）を上下調節可能に装着してなる、
耕耘機のハンドル支持装置にある。
【０００６】
（作用）
下方に開口するコ字状のハンドルフレーム（１１）を、トランスミッション（３）の外側ケースを挟んで貫通する１本の部材（１４）で固定すると、強度、剛性とも充分なハンドル支持構造が得られる。なお、前記固定を緩めると貫通軸を中心にハンドル（１２）の上下調節可能となる。
【０００７】
なお、上述カッコ内の符号は、図面と対照するものであるが、何ら本発明の構成を限定するものではない。
【０００８】
【発明の実施の形態】
以下、図面に沿って、本発明の実施の形態例について説明する。
【０００９】
耕耘機１は、図１に示すように、機体フレーム１の前部にエンジン２を搭載し、エンジン２の動力はトランスミッションケース３内の伝動装置４．車軸５を経て走行車輪６に伝達されると共に、後部に装着されるロータリ耕耘装置８の耕耘軸９にも伝達され、走行車輪６で前進しながら、耕耘軸９に植設された耕耘爪１０で、圃場を耕耘する。
【００１０】
前記耕耘機１は、図１に示すように、単軸の車軸を有する車輛であるため、操向は後方に延設されたハンドル１２を、立ち姿勢で人力で操縦・操作し、左右に操向する構造となっている。
【００１１】
前記トランスミッションケース３は平面視で機体中心線に近く、ほぼ垂直に配置され、構造的には、左右合わせ型の鋳造品で形成され、周囲には左右を締結して連結するための複数個の挿通孔を有するボス３ａが設けられている。
【００１２】
前記ハンドル１２の基部となるハンドルフレーム１１は、図２に示すように、下方に向け開口した断面略々コ字形の板金製で構成され、その垂直面には、前記トランスミッションケース３のボス３ａに対応して複数個の挿通孔を有している。
【００１３】
前記挿通孔の一つの左右の外側には、ハンドル１２の上下調節のための菊座１１ａが固着されている。
【００１４】
前記ハンドル１２は、左右２本のパイプで構成されその先端部は、断面が潰されて合わせ板状になりその内側には、前記ハンドルフレーム１１の菊座１１ａに対応して菊座１２ａが固着されている。
【００１５】
次に本実施の形態例の作用について説明する。
【００１６】
上記構造に基づき、前記ハンドル１２をトランスミッションケース３に装着するには、先ず、図２に示すように、ハンドルフレーム１１を、トランスミッションケース３を挟むように上方から被せ、（他の断面のボス部・挿通孔で）トランスミッションケース３に固定し、次に、ハンドル１２の菊座１２ａを、前記ハンドルフレーム１１の菊座１１ａに係合させ、最後に、図２に示すように、側方からハンドル１２，ハンドルフレーム１１，トランスミッションケース３共通の挿通孔を貫通する１本のボルト１４を通し、他端からノブ付ナット１５で締め上げる。
【００１７】
ハンドル１２の位置を上下に調整するには、前記ノブ付ナット１５を弛めて菊座１１ａと菊座１２ａの係合を解除し、ハンドル１２の後端を人力で上下させ、所定の高さになれば再びノブ付ナット１５で締め上げて所要の位置に固定する。
【００１８】
【発明の効果】
エンジン・トランスミッション・車輪を有し、操向用のハンドル操作に基づき前進しながら後部のロータリ耕耘装置で耕耘する耕耘機において、前記ハンドルの基部を構成するハンドルフレームを、下方に開口する断面略々コ字状に形成し、前記トランスミッションの外側ケースを挟んで、かつハンドルフレームの左右外側とハンドルの左右内側との間にそれぞれ菊座を介在して、貫通する１本のボルトで上下調節可能に装着したので、ハンドル支持装置の剛性が高く、上下調節段数が増え、部品点数が少なく、重量軽減になった。
【図面の簡単な説明】
【図１】耕耘機の側面図である。
【図２】本発明の実施の形態のハンドル支持部の正面図である。
【図３】従来のハンドル支持部の正面図である。
【符号の説明】
１        耕耘機
３        トランスミッションケース
６        走行車輪
８        ロータリ耕耘装置
１１        ハンドルフレーム
１２        ハンドル
【図１】
0003615426.tif 000002
【図２】
0003615426.tif 000003
【図３】
0003615426.tif 000004